(57)【要約】【課題】連結した包装箱を簡単に分離でき、持ち運び時に不意に分離することがなく、圧縮強度も確保されるようにする。【解決手段】各一対の平面板１及び側面板２を連設して角筒状に折り曲げ、側面板２から延出した内端板４と平面板１から延出した外端板５とを貼り合わせて封緘し、一方の端面となる外端板５の一側に連結片６を突出するように設け、他方の端面となる外端板５の一側に切欠部７を形成し、複数の包装箱Ｂの側面同士を突き合わせ、一方の包装箱Ｂの連結片６を他方の包装箱Ｂの切欠部７を介し内端板４に貼り付けて連結する包装箱において、前記連結片６を有する外端板５には、先端縁の連結片６に近接する部分に切込８を入れ、この切込８から連結片６の側端基部まで切目線９を入れて、連結片６の根元側に摘み部１０を設け、連結片６を摘み部１０から捲れるようにする。【選択図】図４
2012232783.tif 000002
【特許請求の範囲】
【請求項１】
各一対の平面板(1)及び側面板(2)を連設して角筒状に折り曲げ、側面板(2)から延出した内端板(4)と平面板(1)から延出した外端板(5)とを貼り合わせて封緘し、一方の端面となる外端板(5)の一側に連結片(6)を突出するように設け、他方の端面となる外端板(5)の一側に切欠部(7)を形成し、複数の包装箱(B)の側面同士を突き合わせ、一方の包装箱(B)の連結片(6)を他方の包装箱(B)の切欠部(7)を介し内端板(4)に貼り付けて連結する包装箱において、前記連結片(6)を有する外端板(5)には、先端縁の連結片(6)に近接する部分に切込(8)を入れ、この切込(8)から連結片(6)の側端基部まで切目線(9)を入れて、連結片(6)の根元側に摘み部(10)を設けたことを特徴とする包装箱。
【請求項２】
前記連結片(6)の形成のため切り込まれる内端板(4)の両側縁に、平面板(1)と側面板(2)の稜部から真っ直ぐに延びる直線部(11)を設け、この直線部(11)が平面板(1)と外端板(5)の稜部の内側に当接するようにしたことを特徴とする請求項１に記載の包装箱。
【発明の詳細な説明】
【技術分野】
【０００１】
この発明は、複数個連結した状態で運搬することができ、分離も可能な包装箱に関するものである。
【背景技術】
【０００２】
従来、この種の包装箱として、下記特許文献１には、図７及び図８に示すようなラップラウンド形式のものが記載されている。
【０００３】
この包装箱のブランクでは、図７に示すように、各一対の平面板５１及び側面板５２が交互に連設されると共に、一方の平面板５１の外側には継代片５３が連設され、側面板５２及び平面板５１の両端には内端板５４及び外端板５５がそれぞれ連設されている。
【０００４】
一方の端面となる外端板５５の対向する一側には、連結片５６が設けられ、他方の端面となる外端板５５の対向する一側には、切欠部５７が形成されている。連結片５６の側縁は、隣接する内端板５４の側部を基端から斜めに切り込んで形成され、切欠部５７は、連結片５６が嵌り込む形状及び大きさとされている。
【０００５】
また、連結片５６の基端には、包装箱同士を分離するための切目線５８が平面板５１と側面板５２の稜部から外端板５５の途中まで入れられ、平面板５１及び側面板５２には、開梱及び解体用の切目線５９が入れられている。
【０００６】
このようなブランクを包装箱に組み立てて商品を包装するには、図８に示すように、各一対の平面板５１及び側面板５２を角筒状に折り曲げて商品を包み込み、継代片５３を反対側の側面板５２に貼り付け、内端板５４と外端板５５とを貼り合わせて封緘する。
【０００７】
そして、この包装箱を２個連結するには、包装箱の側面同士を突き合わせ、一方の包装箱の連結片５６を他方の包装箱の切欠部５７を介し内端板５４に貼り付ける。
【先行技術文献】
【特許文献】
【０００８】
【特許文献１】実開平７−３１６１８号公報
【発明の概要】
【発明が解決しようとする課題】
【０００９】
しかしながら、上記のような包装箱では、連結状態から個別に分離する際、連結片５６を切目線５８に沿って切断しつつ、内端板５４から引き剥がさなければならず、大きな力を要するという問題がある。
【００１０】
また、その対策として、連結片５６の基端全長に亘って切目比率の高いミシン目状の切目線５８を入れておくことが考えられるが、この場合、連結状態で持ち運ぶ際、連結片５６が外端板５５から千切れてしまい、包装箱が意図せずに分離してしまうおそれがある。
【００１１】
さらに、連結片５６に隣接する内端板５４は、基端から側縁が斜めに切断されており、これに起因して、段積み時の圧縮強度が低下するおそれもある。
【００１２】
そこで、この発明は、連結した包装箱を簡単に分離でき、持ち運び時に不意に分離することがなく、圧縮強度も確保されるようにすることを課題とする。
【課題を解決するための手段】
【００１３】
上記課題を解決するため、この発明は、各一対の平面板及び側面板を連設して角筒状に折り曲げ、側面板から延出した内端板と平面板から延出した外端板とを貼り合わせて封緘し、一方の端面となる外端板の一側に連結片を突出するように設け、他方の端面となる外端板の一側に切欠部を形成し、複数の包装箱の側面同士を突き合わせ、一方の包装箱の連結片を他方の包装箱の切欠部を介し内端板に貼り付けて連結する包装箱において、前記連結片を有する外端板には、先端縁の連結片に近接する部分に切込を入れ、この切込から連結片の側端基部まで切目線を入れて、連結片の根元側に摘み部を設けたのである。
【００１４】
また、前記連結片の形成のため切り込まれる内端板の両側縁に、平面板と側面板の稜部から真っ直ぐに延びる直線部を設け、この直線部が平面板と外端板の稜部の内側に当接するようにしたのである。
【発明の効果】
【００１５】
この発明に係る包装箱では、複数個連結した状態から分離する際、連結片を摘み部の切込に臨む部分から捲り、切目線に沿って外端板から切り離すことにより、簡単に分離することができる。
【００１６】
このため、切目線の切目部分の比率を高める必要がなく、持ち運び時の意図しない分離を防止することができる。
【００１７】
また、連結片の形成のため切り込まれた内端板においても、その両側縁の直線部が平面板と外端板の稜部の内側に当接して、内端板が支柱として機能することから、段積み時の圧縮強度が向上し、安価な材料を使用してコストを抑制することができる。
【図面の簡単な説明】
【００１８】
【図１】この発明の実施形態に係る包装箱のブランクを示す図
【図２】同上の要部拡大図
【図３】同上の組立状態を示す斜視図
【図４】同上の連結状態を示す斜視図
【図５】同上の分離に伴い連結片を切除する過程を示す部分拡大斜視図
【図６】同上の分離状態を示す斜視図
【図７】従来の包装箱のブランクを示す図
【図８】同上の連結状態を示す斜視図
【発明を実施するための形態】
【００１９】
以下、この発明の実施形態を添付図面に基づいて説明する。
【００２０】
この包装箱は、商品を包み込むように包装するラップラウンド式の段ボール箱であり、図１に示すブランクから形成される。このブランクでは、各一対の平面板１及び側面板２が交互に連設され、一方の平面板１の外側には継代片３が、各側面板２の両端には内端板４が、各平面板１の両端には外端板５がそれぞれ連設されている。
【００２１】
一方の端面となる外端板５の対向する一側には、連結片６が設けられ、他方の端面となる外端板５の対向する一側には、切欠部７が形成されている。切欠部７は、連結片６が嵌り込むように、形状が対応し、連結片６よりも一回り大きな寸法となっている。
【００２２】
連結片６を有する外端板５には、先端縁の連結片６に近接する部分に、親指の側部が入る程度の切込８が入れられ、図２に示すように、この切込８から連結片６の側端基部まで斜め方向に切目線９を入れて、連結片６の根元側に摘み部１０が設けられている。切目線９は、鉤状の切目が断続するジッパ型のものとされている。
【００２３】
また、連結片６が外端板５の側縁の直線部から突出していることに対応して、連結片６の形成のため切り込まれる内端板４の両側縁には、平面板１と側面板２の稜部から真っ直ぐに延びる直線部１１が設けられている。
【００２４】
上記のようなブランクを組み立てて商品を包装する際には、図３に示すように、各一対の平面板１及び側面板２を角筒状に折り曲げて商品を包み込み、継代片３を反対側の側面板２に貼り付け、内端板４と外端板５とを貼り合わせて封緘する。このとき、摘み部１０には、接着剤があまりはみ出さないようにする。
【００２５】
このように組み立てた包装箱Ｂでは、一方の端面で先端縁同士が突き合わされた外端板５の連結片６が一体となって一側に突出し、他方の端面で先端縁同士が突き合わされた外端板５の切欠部７が一体となって凹部を形成する。
【００２６】
そして、この包装箱Ｂを２個連結する際には、図４に示すように、連結片６と切欠部７とが向き合うように包装箱Ｂの側面板２同士を突き合わせ、一方の包装箱Ｂの連結片６を他方の包装箱Ｂの切欠部７を介して内端板４に貼り付ける。
【００２７】
このように包装箱Ｂを連結すると、２個の包装箱Ｂを１組として運搬することができ、荷扱いの作業効率が向上し、段積みに際し、包装箱Ｂを多数段整然と積み上げて、荷崩れを防止することができる。
【００２８】
また、各包装箱Ｂは、連結片６の形成のため切り込まれた内端板４においても、その両側縁の直線部１１が平面板１と外端板５の稜部の内側に当接して、内端板４が支柱として機能することから、段積み時の圧縮強度が向上する。
【００２９】
一方、このように連結した包装箱Ｂを分離する際には、切込８に指を入れて、図５に示すように、連結片６を摘み部１０の切込８に臨む部分から捲り、切目線９に沿って外端板５から切り離す。
【００３０】
このとき、摘み部１０の部分が全く内端板４に貼着されていなければ、切目線９に沿って段ボールを切断するだけの僅かな力で包装箱Ｂ同士を分離することができる。
【００３１】
また、摘み部１０のある程度の部分が内端板４に貼着されていれば、その部分を内端板４から引き剥がす力も必要となるが、摘み部１０を捻るように引き剥がすことができるので、小さな力で包装箱Ｂ同士を分離することができる。
【００３２】
このため、上記包装箱Ｂでは、切目線９の切目部分の比率を高める必要がなく、持ち運び時の意図しない分離を防止することができる。
【００３３】
このように連結片６を切り離した一方の包装箱Ｂは、図６に示す状態となり、他方の包装箱Ｂには、連結片６が貼り付いたままとなるが、残存した連結片６が煩わしく感じられる場合には、内端板４から連結片６を引き剥がして除去するとよい。
【００３４】
なお、上記実施形態では、包装箱Ｂを２個のみ連結できるものを例示したが、包装箱Ｂの一方の端面の一側に連結片６を設け、他側に切欠部７を形成し、他方の端面の一側に切欠部７を形成し、他側に連結片６を設けると、２個より多くの包装箱Ｂを順次連結することができる。
【符号の説明】
【００３５】
１  平面板
２  側面板
３  継代片
４  内端板
５  外端板
６  連結片
７  切欠部
８  切込
９  切目線
１０  摘み部
１１  直線部
Ｂ  包装箱
【図１】
2012232783.tif 000003
【図２】
2012232783.tif 000004
【図３】
2012232783.tif 000005
【図４】
2012232783.tif 000006
【図５】
2012232783.tif 000007
【図６】
2012232783.tif 000008
【図７】
2012232783.tif 000009
【図８】
2012232783.tif 000010